(57)【要約】【課題】  誰でも短時間で簡単に、自然な見え方の立体図を作成することができる立体図作成用の作図シートを提供する。【解決手段】  作図シート１を、水平ライン１５からそれぞれ一定角度±θをなして、所定間隔で多数配置され、間口目盛２０と奥行目盛２１を形成する間口線１０および奥行線１１と、水平ライン１５に直交し、かつ間口線１０および奥行線１１の交点を通って所定間隔で多数配置され、高さ目盛２２を形成する高さ線１２を備え、角度θが１５°〜１９°の範囲にあり、かつ同一寸法をあらわすために、間口目盛２０および奥行目盛２１の一目盛に対して、高さ目盛１２の二目盛が用いられるようにように構成した。【選択図】  図３
2010105219.tif 000002
【特許請求の範囲】
【請求項１】
水平ラインからそれぞれ一定角度±θをなして、所定間隔で多数配置され、間口目盛と奥行目盛を形成する間口線および奥行線と、
該水平ラインに直交し、かつ該間口線および該奥行線の交点を通って所定間隔で多数配置され、高さ目盛を形成する高さ線と、を備え、
該角度θが１５°〜１９°の範囲にあり、かつ同一寸法をあらわすために、該間口目盛および該奥行目盛の一目盛に対して、該高さ目盛の二目盛が用いられるようになされた立体図作成用の作図シート。
【請求項２】
該角度θが、１７°に設定されている請求項１に記載の作図シート。
【請求項３】
二階建て以上の建築物の内観図作成用である請求項２に記載の作図シート。
【発明の詳細な説明】
【技術分野】
【０００１】
本発明は、建築物や製品の完成予想図等立体図の作成を補助するための立体図作成用の作図シートに関する。
【背景技術】
【０００２】
従来、建築物や製品の完成イメージ等をプレゼンテーションする場合などに、パースと呼ばれる透視図が活用されている。透視図は、遠近法に基づく複雑な図法によって作成する必要があるが、この作成を補助するものとして、種々の方眼用紙が提案されている（例えば特許文献１）。
【０００３】
【特許文献１】特開２００４−２７６３４１
【発明の開示】
【発明が解決しようとする課題】
【０００４】
しかしながら、特許文献１に記載される如くの方眼用紙を用いても、透視図の作成には困難が伴うものであり、例えば透視図について専門的な知識をもたない営業担当者が建築物の完成内観図等の透視図を短時間で簡単に作成することは難しかった。
【０００５】
一方、より簡易な図法を用いたものとしてアクソメ図が知られている。アクソメ図は、方眼用紙の目盛に沿って間口・奥行・高さが設定できるため、透視図に比べて、比較的容易に作成することができる。
【０００６】
ところが、アクソメ図では、間口線と奥行線の水平ラインからなす角度（それぞれ３０°に設定されている）の影響で、建築物の内観図等を描く場合に、観察視点が高く、床面が強調されて見え方が不自然となる上に、一階床面と二階床面の重なりが大きくなり過ぎて、一階部分の可視範囲が制限されてしまっていた（図１、図２参照）。
【０００７】
これに対しては、間口線と奥行線の水平ラインからなす角度を、より緩くすることが考えられるが、そうすると、高さを方眼用紙の目盛に沿って設定したときに、きわめて不自然な見え方となってしまうため、高さの設定については、方眼用紙の目盛を無視してその都度目測でおこなう必要があり、作図の容易性が損なわれていた。
【０００８】
そこで、本発明は、上記課題に鑑みてなされたものであり、誰でも短時間で簡単に、自然な見え方の立体図を作成することができる立体図作成用の作図シートを提供することを目的としている。
【課題を解決するための手段】
【０００９】
上記の課題を解決するために、請求項１に記載の作図シートは、水平ラインからそれぞれ一定角度±θをなして、所定間隔で多数配置され、間口目盛と奥行目盛を形成する間口線および奥行線と、該水平ラインに直交し、かつ該間口線および該奥行線の交点を通って所定間隔で多数配置され、高さ目盛を形成する高さ線と、を備え、該角度θが１５°〜１９°の範囲にあり、かつ同一寸法をあらわすために、該間口目盛および該奥行目盛の一目盛に対して、該高さ目盛の二目盛が用いられるようになされたことを要旨とする。
【００１０】
また、請求項２に記載の作図シートは、請求項１に記載の構成において、該角度θが、１７°に設定されていることを要旨とする。
【００１１】
また、請求項３に記載の作図シートは、請求項２に記載の構成において、二階建て以上の建築物の内観図作成用であることを要旨とする。
【発明の効果】
【００１２】
本発明によれば、立体的な図面を描くにあたり、同一寸法をあらわすために間口・奥行・高さ全てを、目盛を基準としてとることができ、かつ従来のアクソメ図ないしアイソメ図の問題点であった床面の強調や平面の重なりが緩和され、観察視点が低くなった、より自然に近い形に見える図面を描くことが可能となる。よって、短時間で建築物の内観図をプレゼンテーションする等の場合格別な効果を発揮する。
【発明を実施するための最良の形態】
【００１３】
以下、本発明の一実施形態を、図３〜図４に基づいて説明する。図３は実施形態に係る作図シート１の構成を示す図であり、図４はこの作図シート１の使用方法を示す説明図である。
【００１４】
図３に示すように、作図シート１は、間口線１０、奥行線１１、高さ線１２を備えて構成されている。この作図シート１は、紙製で、所定の青色インクを用いて間口線１０、奥行線１１、高さ線１２が印刷されており、これらの線を補助線として、線上をなぞったり、適宜新たな線を引くことによって、作図シート１上に建築物等の立体図を簡易に描くことができるようにしたものである。そして、立体図が描かれた作図シート１を複写機でコピーすれば、上記の間口線１０、奥行線１１、高さ線１２が消去された見易い立体図を得られるようになっている。作図シート１には、トレーシングペーパーのようなごく薄い半透明状の紙や厚紙等を用いるようにしてもよい。
【００１５】
間口線１０および奥行線１１は、図３に示すように、描かれる建築物等の間口方向および奥行方向に沿って、それぞれ平行に配置されるもので、水平ライン１５から一定角度±θをなして、所定間隔で多数配置されている。間口線１０および奥行線１１によって、図３に示す如くの間口目盛２０および奥行目盛２１が形成されている。
【００１６】
一方、高さ線１２は、図３に示すように、描かれる建築物等の高さ方向に沿って配置されるもので、水平ライン１５に直交し、かつ間口線１０および奥行線１１の交点を通って所定間隔で多数配置されている。高さ線１２によって、図３に示す如くの高さ目盛２２が形成されている。
【００１７】
作図シート１では、上記角度θが１５°〜１９°の範囲にあるように設けられている。角度θがこのような緩い角度に設定されていることで、描かれる立体図を、より自然に見えるものに近づけることができる。
【００１８】
上記の如く構成される作図シート１の使用方法の一例について、図４を参照して説明する。図２では、各辺が同一寸法からなる立方体形状の立体図２５を描く場合を示している。
まず、作図シート１上に適当な点Ａをプロットする。点Ａから、間口方向、奥行方向にそれぞれ所定目盛（この実施形態では四目盛）だけ離れた位置に、点Ｂ、点Ｃをプロットするとともに、点Ａと点Ｂ、点Ｃとを、それぞれ奥行線１１、間口線１０に沿って結ぶ。
次に、点Ａから、高さ方向に、上記所定目盛の二倍の目盛（この実施形態では八目盛）だけ離れた位置に、点Ｄをプロットするとともに、点Ａと点Ｄとを、高さ線１２に沿って結ぶ。
【００１９】
そして、点Ｄから、間口方向、奥行方向にそれぞれ所定目盛（この実施形態では四目盛）だけ離れた位置に、点Ｅ、点Ｆをプロットして、点Ｄと点Ｅ、点Ｆとを、それぞれ奥行線１１、間口線１０に沿って結ぶとともに、点Ｅと点Ｂ、点Ｆと点Ｃを、それぞれ高さ線１２に沿って結ぶ。
さらに、点Ｅ（または点Ｆ）から、間口方向（または奥行方向）に所定目盛（この実施形態では四目盛）だけ離れた位置に、点Ｇをプロットして、点Ｇと点Ｅ，点Ｆとを、それぞれ間口線１０、奥行線１１に沿って結べば、上記立方体形状の立体図２５を完成させることができる。
【００２０】
上記のように、作図シート１では、同一寸法をあらわすために、間口目盛２０および奥行目盛２１の一目盛に対して、高さ目盛２２の二目盛が用いられるようになされているものである。作図シート１では、角度θが所定範囲にあることから、このようにすることで、立体図２５が非常に自然に見えるようになっている。
中でも角度θが１７°に設定されている場合は、同一寸法に対して、描かれる高さ／間口（または奥行）の比率が約１．１７／１となる。よって、人間の目には殆ど実物を見ているように映る上に、実際の寸法を正確に表現できるため、非常に好ましい。
【００２１】
以上説明した作図シート１によれば、誰でも簡単に、自然に見える立体図を作成することが可能となる。したがって、建築物の内観図等を短時間でプレゼンテーションする際に有効なツールとなり得る。
【００２２】
なお、上記実施形態では、作図シート１を紙製とし、作図シート１に立体図を直接描き入れる例を示したが、作図シート１を例えば合成樹脂製として、別の紙等に立体図を描く際の下敷きとして用いられるようにしてもよい。
立体図は、フリーハンドで描くようにしてもよいし、定規等を適宜使用することもできる。また、作図シート１をコンピュータの画面上に表示し、マウス等の入力手段によって立体図を描くようにしてもよい。
【００２３】
本発明によって作成される「立体図」は、従来の一点透視図法や二点透視図法等の遠近法による透視図とは異なったものであり、擬似的なアクソメ図ないしアイソメ図とも言うべきものである。ただし、アクソメ図ないしアイソメ図では、間口線と奥行線とのなす角度が９０°や１２０°に設定され、同一寸法をあらわすために通常、間口目盛、奥行目盛、高さ目盛を同数目盛とる等していたのに対し、本発明に係る「立体図」は、上記からも明らかなように、従来に無い全く新規な発想に基づいている。
【００２４】
「立体図」としては、代表的には建築物の内観図や外観図が挙げられるが、本発明は、この他にも機械製品・日用品等の完成図や分解図等、幅広い分野で用いることができる。
【実施例１】
【００２５】
上記によって構成された作図シート１を用いて、図４で示した立方体形状の立体図２５を描く手順を応用すると、図６（ａ）や図６（ｂ）に示すような建築物の完成図（内観図）を作成することができる。
このようにして作成された建築物の完成図は床面が強調され過ぎず、より自然に見えやすいものであり、短時間で描くことが可能である。
【実施例２】
【００２６】
図６（ａ）や図６（ｂ）のように一層の物だけでなく、二層以上の物、例えば二階建て以上の建築物や多重積層構造をなす製品等であっても好適に立体図を作成できる。
【００２７】
図５は平面Ｐの上方に平面Ｑを位置させた状態の立体図を作成した例を示しているが、上記作図シート１を用いることで、平面Ｐに平面Ｑが重なって見えなくなる範囲を非常に少なくできることが分かる。つまり、平面Ｐの可視範囲が広がることで、立体図（とりわけ内観や内部構造）のより詳細なイメージを伝えることが可能となるものである。（図２参照）
【００２８】
上記作図シート１を用いて作成した二階建ての建築物の完成図（内観図）の例を図７に示す。
図７では、一階床面と二階床面の重なりが少なく、一階部分の可視範囲が広がることで、一階部分の奥の様子まで詳細に表現することが可能となっている。
【産業上の利用可能性】
【００２９】
本発明は、誰でも短時間で簡単に、自然な見え方の立体図を作成することができる立体図作成用の作図シートを提供するものであり、産業上の利用可能性を有する。
【図面の簡単な説明】
【００３０】
【図１】従来技術を示す図である。
【図２】従来技術を示す図である。
【図３】実施形態に係る作図シートの構成を示す図である。
【図４】実施形態に係る作図シートの使用方法を示す説明図である。
【図５】平面を重ねて位置させた状態の立体図を示す図である。
【図６】（ａ）（ｂ）実施例１による建築物の完成図（内観図）を示す図である。
【図７】実施例２による建築物の完成図（内観図）を示す図である。
【符号の説明】
【００３１】
１  作図シート
１０  間口線
１１  奥行線
１２  高さ線
１５  水平ライン
２０  間口目盛
２１  奥行目盛
２２  高さ目盛
２５  立体図
Ａ〜Ｇ  点
Ｐ・Ｑ  平面
θ  角度
【図１】
2010105219.tif 000003
【図２】
2010105219.tif 000004
【図３】
2010105219.tif 000005
【図４】
2010105219.tif 000006
【図５】
2010105219.tif 000007
【図６】
2010105219.tif 000008
【図７】
2010105219.tif 000009